(57)【要約】【課題】  従来の簡易便器は、部品点数が多いために保管や組み立てが面倒であり、臭気が漏れやすいという欠点があった。また、着座時に使用者の臀部が汚物収容袋と接触して不快感を与えるおそれもあった。【解決手段】  一枚のパネルから組み立てられ、上端に開口部１１が形成される便器本体１２と、この便器本体１２の開口部１１を塞ぐように便器本体１２の上端部に連結され、一枚のパネルから組み立てられる便座部１３とを具えた本発明による簡易便器１０は、その便座部１３が、開口部３１が形成された環状の下板部２５と、この下板部２５の開口部３１とほぼ対応した開口部３２が形成された上板部３３と、この上板部３３と下板部２５とが重なり合うように、これらを相互につなぐ折り曲げ部３４と、上板部３３の開口部３２を塞ぐ便座蓋３５と、この便座蓋３５と上板部３３とを相互につなぐヒンジ部３６とを具える。【選択図】  図１
2007044356.tif 000002
【特許請求の範囲】
【請求項１】
一枚のパネルから組み立てられ、上端が開放された便器本体と、この便器本体に連結され、一枚のパネルから組み立てられた便座部とを具えた簡易便器であって、
前記便器本体は、その上端に形成された便座受けを有し、
前記便座部は、開口部が形成された環状の下板部と、この下板部の開口部とほぼ対応した形状の開口部が形成された上板部とを有し、
前記下板部および前記上板部は、これらを連接する折り曲げ部にて折り曲げられて前記下板部に前記上板部が重ね合わされ、
前記上板部は、この上板部に対しヒンジ部を介して回動可能に連接され、その開口部を塞ぐ便座蓋を有することを特徴とする簡易便器。
【請求項２】
前記下板部は、前記便座蓋を受けるストッパ部をその開口部の端縁に有することを特徴とする請求項１に記載の簡易便器。
【請求項３】
前記下板部は、その外周縁部に形成されて液不透過性の汚物収容袋の開口端部を係止し得る切り込み部を有することを特徴とする請求項１または請求項２に記載の簡易便器。
【請求項４】
前記便座部は、前記上板部を前記下板部に対して重ね合わせた状態に保持し得る係止手段を有することを特徴とする請求項１から請求項３の何れかに記載の簡易便器。
【請求項５】
前記便器本体は、その便座受けに形成されたスリット状の差し込み孔を有し、前記下板部は、この差し込み孔に差し込まれて前記便器本体に前記便座部を連結するための連結片を有することを特徴とする請求項１から請求項４の何れかに記載の簡易便器。
【発明の詳細な説明】
【技術分野】
【０００１】
本発明は、組み立て式の簡易便器に関する。
【背景技術】
【０００２】
組立式の簡易便器は、地震や風水害などの非常時のみならず、各種屋外活動に伴う緊急時にも用いられる。このような簡易便器に要求される機能としては、保管収納状態において軽量でかさばらず、運搬および使用時の組み立てが容易あることが望まれており、このような要求を満たす簡易便器として特許文献１，２などに開示されたものが知られている。
【０００３】
特許文献１に開示された紙製組立便器は、筒状本体と、この筒状本体に組み合わされる補強枠と、これら筒状本体，補強枠の上に重ね合わされる補強便座および環状便座と、環状便座の上に被せられる上蓋とを具えたものである。汚物が収容されるビニール袋は、環状便座の開口部分から筒状本体内に装入され、その開口端部が環状便座に被せられた状態で使用される。
【０００４】
特許文献２に開示された簡易トイレは、箱体と、この箱体の上端に重ねられる便座構成体と、この便座構成体の開口部に嵌まる蓋体部とを具えたものである。また、汚物を収容する収容袋は便座構成体の開口部から箱体内に装入され、その開口端部が便座構成体に被せられた状態で使用される。
【０００５】
【特許文献１】特開２００１−２１８６９９号公報
【特許文献２】特開２００４−３３４８３号公報
【発明の開示】
【発明が解決しようとする課題】
【０００６】
特許文献１に開示された従来の簡易便器は、部品点数が多くて保管や組み立てが面倒であり、しかも上蓋と環状便座との密着性が充分ではないため、臭気が外部に漏れやすいという欠点がある。
【０００７】
これに対し、特許文献２に開示された簡易便器は、部品点数が非常に少ないので保管や組み立てが容易であり、蓋体部が便座構成体から切り抜いたものであるため、臭気の漏洩をより少なくすることができるという利点を有する。しかしながら、この特許文献２に開示された簡易便器は、部品点数の少なさが逆に災いして便座構成体の強度が充分ではなく、その座り心地も余り良くないという問題がある。しかも、蓋体部が便座構成体の開口部と同じ寸法であるため、着脱操作時に誤って便座構成体の開口部から落下させてしまう不具合がある。
【０００８】
また、これら２つの従来技術に共通する問題として、着座時に臀部が触れる便座の表面を汚物収容袋で覆っているため、この汚物収容袋が汗で臀部に貼り付いてしまい、不快感を増大させてしまうという問題があった。
【０００９】
（発明の目的）
本発明の目的は、部品点数が少なく、保管や組み立てが容易であって、着座時に臀部が汚物収容袋と接触せず、しかも臭気の漏れを最小限に抑えることができる簡易便器およびこの簡易便器の一部を構成する便座パネルを提供することにある。
【課題を解決するための手段】
【００１０】
本発明による簡易便器は、一枚のパネルから組み立てられ、上端が開放された便器本体と、この便器本体に連結され、一枚のパネルから組み立てられた便座部とを具えた簡易便器であって、前記便器本体は、その上端に形成された便座受けを有し、前記便座部は、開口部が形成された環状の下板部と、この下板部の開口部とほぼ対応した形状の開口部が形成された上板部とを有し、前記下板部および前記上板部は、これらを連接する折り曲げ部にて折り曲げられて前記下板部に前記上板部が重ね合わされ、前記上板部は、この上板部に対しヒンジ部を介して回動可能に連接され、その開口部を塞ぐ便座蓋を有することを特徴とするものである。
【００１１】
本発明においては、樹脂製の汚物収容袋を便座部の下板部の開口部から便器本体内に装入し、その開口端部を外側に巻き返して下板部に被せ、この状態にて便座部の上板部を下板部に重ね、汚物収容袋の開口端部を便座部の上板部と下板部との間に挟み込む。使用時には上板部と一体の便座蓋を開いた状態で上板部に着座し、非使用時には便座蓋を閉じておく。
【００１２】
本発明による簡易便器において、下板部は、便座蓋を受けるストッパ部をその開口部の端縁に有することができる。
【００１３】
また、この下板部は、その外周縁部に形成されて液不透過性の汚物収容袋の開口端部を係止し得る切り込み部を有することができる。
【００１４】
便座部は、上板部を下板部に対して重ね合わせた状態に保持し得る係止手段を有することができる。
【００１５】
便器本体は、その便座受けに形成されたスリット状の差し込み孔を有し、下板部は、この差し込み孔に差し込まれて便器本体に便座部を連結するための連結片を有することができる。
【発明の効果】
【００１６】
本発明によると、便座部が開口部を形成した環状の下板部と、この下板部の開口部とほぼ対応した形状の開口部を形成した上板部とを有し、これらを連接する折り曲げ部にて上板部が折り曲げられて下板部に重ね合わされ、上板部は、この上板部に対しヒンジ部を介して回動可能に連接され、かつその開口部を塞ぐ便座蓋を有しているので、汚物収容袋の開口端部を便座部の下板部と上板部との間に挟み込むことができる。この結果、使用者は上板部に着座する状態となり、臀部が汚物収容袋に接触するのを回避することが可能である。また、非使用時には便座蓋によって便座部の開口を塞ぐことができるため、臭気の発散を未然に防止することも可能となる。
【００１７】
下板部が便座蓋を受けるストッパ部をその開口部の端縁に有する場合、便座蓋が便器本体内に垂れ下がり、上板部の開口と便座蓋との間に隙間ができてしまうような不具合を未然に防止することができる。
【００１８】
下板部がその外周縁部に形成されて液不透過性の汚物収容袋の開口端部を係止し得る切り込み部を有する場合、上板部との間に挟まれる汚物収容袋をより確実に下板部に保持させることができる。
【００１９】
便座部が上板部を下板部に対して重ね合わせた状態に保持し得る係止手段を有する場合、便座部の強度をさらに高めることができる。
【００２０】
便器本体がその便座受けに形成されたスリット状の差し込み孔を有し、下板部がこの差し込み孔に差し込まれて便器本体に便座部を連結するための連結片を有する場合、便器本体に対し便座部を安定した状態で容易かつ確実に連結することができる。
【発明を実施するための最良の形態】
【００２１】
本発明による簡易便器の実施形態について、図１〜図９を参照しながら詳細に説明するが、本発明はこのような実施形態のみに限らず、特許請求の範囲に記載された本発明の概念に包含されるあらゆる変更や修正が可能であり、従って本発明の精神に帰属する他の任意の技術にも当然応用することができる。
【００２２】
本実施形態の簡易便器の外観を図１に示し、その分解状態を図２に示す。この簡易便器１０は、上端に開口部１１が形成される便器本体１２と、この便器本体１２の上端部に連結される便座部１３と、汚物を収容するための汚物収容袋１４と、便器本体１２の上端部に取り付けられる巻紙ホルダ１５とを具えている。巻紙ホルダ１５は、この簡易便器１０の使用時に巻紙（トイレットペーパー）１６を置いておく場所がある場合にはなくてもよいが、このような場所を確保できない場合に有効である。実際の使用に際しては排泄物などに含まれる水分を吸収するための汚物吸収シート１７と、汚物の上に被せられて臭気を吸着する消臭シート１８とをさらに併用することが望ましい。汚物吸収シート１７は、使い捨ておむつなどで用いられる吸収体とほぼ同じものであってよい。また、消臭シート１８は、この簡易便器１０の使用の度に新たなものを追加することが有効である。
【００２３】
本実施形態における便器本体１２および便座部１３は、それぞれ所定形状に成形した段ボールパネルからそれぞれ組み立てられ、また巻紙ホルダ１５は所定形状に成形した厚紙から得られる。何れも焼却またはリサイクル可能なものを利用しているが、便器本体１２および便座部１３の少なくとも一方を樹脂を含浸させて補強した段ボールパネルや、樹脂製のものを採用することが可能である。また、汚物収容袋１４は液不透過性の樹脂フィルム製のものであればよく、スーパーマーケットなどで用いられる取手部のある大判の買い物袋などを転用することも可能である。この汚物収容袋１４は、数回の使用の度に汚物吸収シート１７および消臭シート１８と共に新たなものと交換して使用することが望ましい。
【００２４】
便器本体１２の平面形状を図３に示し、その底面形状を図４に示し、この便器本体１２を構成する本実施形態における段ボールパネルの展開形状を図５に示す。前後に細長い直方体の箱状をなす便器本体１２は、前壁部１９と、左右一対の側壁部２０と、これら側壁部２０を挟んで前壁部１９と対向する後壁部２１と、この後壁部２１と一方の側壁部２０とを接合するための接合部２２と、前壁部１９および後壁部２１と一体に形成されて便器本体１２の開口端から外側に折り曲げられる前後一対の便座受け２３ｆ，２３ｒと、左右一対の側壁部２０と一体に形成されて便器本体１２の開口端から内側に折り曲げられる左右一対の便座受け２３ｓと、前壁部１９および後壁部２１と一体に形成される前後一対の底板部２４ｆ，２４ｒと、左右一対の側壁部２０と一体に形成されて前後一対の底板部２４ｆ，２４ｒと共に底部を画成する左右一対の底板部２４ｓとを具えている。接合部２２には図示しない剥離紙で覆われた粘着剤が予め塗布され、便器本体１２の組み立て時にこの剥離紙を剥離して接合部２２を後壁部２１の内壁に接合することにより、段ボールパネルを筒状にするが、予めこのような筒状に接合しておくことも可能であり、この場合には段ボールパネルを２つ折り状態で保管することができるため、そのための保管スペースが狭くて済む。なお、便器本体１２の座屈強度を確保するため、段ボールの中芯の山・谷の延在方向が上下方向となるように、段ボールパネルの切り出し方向を規定することが望ましい。
【００２５】
図３中、実線は段ボールパネルの輪郭および切欠き部分を表し、破線および二点鎖線は折り曲げ部を示している。左右一対の便座受け２３ｓと後部便座受け２３ｒとには、後述する便座部１３の下板部２５に形成された連結片２６ｒ，２６ｓが差し込まれるスリット状の差し込み孔２７ｓ，２７ｒがそれぞれ形成されている。また、左右一対の底板部２４ｓにも前後一対の底板部２４ｆ，２４ｒに形成した差し込みタブ２８がそれぞれ差し込まれる差し込みスリット２９がそれぞれ形成されている。従って、左右一対の底板部２４ｓを内側に折り曲げた後、前後一対の底板部２４ｆ，２４ｒの差し込みタブ２８をこれら左右一対の底板部２４ｓの差し込みスリット２９にそれぞれ差し込むことで、底部を組み立てることができる。前後一対の底板部２４ｆ，２４ｒに形成され、中芯の山・谷を横切って延在する折り曲げ部３０は、この差し込み作業の際に前後一対の底板部２４ｆ，２４ｒを無理なく曲げることができるように配慮したものである。
【００２６】
本実施形態では、便器本体１２に底部を形成したが、便器本体１２が使用に耐える強度を与えることができるのであれば、底部を持たない筒状の便器本体１２とすることも可能である。
【００２７】
便座部１３を構成する段ボールパネルの展開形状を図６に示すが、先の図３と同様、図６中の実線は段ボールパネルの輪郭および切欠き部分を表し、破線は折り曲げ部を示している。本実施形態における便座部１３は、段ボールの中芯の山・谷の延在方向が左右方向となるように、段ボールパネルの切り出し方向が規定されている。この便座部１３は、前後方向に細長い開口部３１が形成された環状の下板部２５と、この下板部２５の開口部３１とほぼ対応した開口部３２が形成された上板部３３と、この上板部３３に対して前記下板部２５が折り重なるように上板部３３に対して下板部を回動可能に接続する折り曲げ部３４と、上板部３３の開口部３２を塞ぐ便座蓋３５と、この便座蓋３５と上板部３３とを回動可能に接続するヒンジ部３６とを具えている。この場合、上板部３３に切り込みを入れることで便座蓋３５を形成しているため、上板部３３の開口部３２が便座蓋３５の外周縁となり、これらの間の隙間をなくして臭気の漏洩を最小限に抑えることができる。また、下板部２５と上板部３３とを重ねた場合、上板部３３と一体の便座蓋３５が下板部２５の開口部３１から便器本体１２内に垂れ下がらないように、下板部２５の開口部３１の前端縁部３１ｆが上板部３３の開口部３２から内側に突出した状態となっており、この下板部２５の開口部３１の前端縁部３１ｆにて便座蓋３５の前端部が受け止められる。つまり、本実施形態では下板部２５の開口部３１の前端縁部３１ｆが本発明のストッパ部として機能する。上板部３３の開口部３２と便座蓋３５の前端部との間には、便座蓋３５を開ける際の指掛かりとなる円形の切欠き３７が形成されている。
【００２８】
下板部２５には、その開口部３１の内側端縁に突出して下方に折り曲げられる左右一対の連結片２６ｓと、開口部３１の後端縁から前方に突出する後部連結片２６ｒとが形成され、前述の差し込み孔２７ｓ，２７ｒと共に本発明の係止手段として機能する。つまり、これらの連結片２６ｓ，２６ｒを上述した左右一対の便座受け２３ｓと後部便座受け２３ｒとにそれぞれ形成された差し込み孔２７ｓ，２７ｒに差し込むことにより、便器本体１２と便座部１３とを確実に連結することができる。また、下板部２５の外周縁部には、ここに被せられる汚物収容袋１４の一部を挟み込んで保持するための複数（図示例では左右２つずつ）の切り込み部３８が形成され、また前端部には上板部３３の前端部に形成された係止部３９を掛け止める切欠き部４０が形成されている。汚物収容袋１４として上述した買い物袋を転用する場合、その取手の部分を切り込み部３８に引っ掛けることが望ましい。また、上述した係止部３９および切欠き部４０の底側の幅寸法は、これらの先端側の幅寸法よりも狭く設定されており、これによって切欠き部４０に係止部３９を折り込んだ後は、係止部３９を切欠き部４０から抜け外れにくくすることができる。この切欠き部４０には汚物収容袋１４も挟み込まれるため、先の切り込み部３８と相俟って汚物収容袋１４を便座部１３の下板部２５と上板部３３との間でより確実に保持することが可能である。
【００２９】
巻紙ホルダ１５を構成する厚紙の展開形状を図７に示すが、先の図面と同様、図７中の破線はその折り曲げ部を示している。巻紙１６の中空芯に両側から差し込まれる一対の保持部４１が先端側に形成された巻紙ホルダ１５の基端部には、この巻紙ホルダ１５を便器本体１２の左右一対の便座受け２３ｓに形成された差し込み孔２７ｓの何れかに差し込まれる差し込み部４２と、この差し込み部４２の両側から延在して差し込み孔２７ｓに係止し得る一対のフック部４３とが形成されている。この巻紙ホルダ１５を便器本体１２に取り付ける場合、フック部４３を１８０度折り曲げたまま差し込み部４２を左右一対の便座受け２３ｓ部の何れか一方の差し込み孔２７ｓに差し込むことにより、フック部４３が巻紙ホルダ１５を構成する厚紙自体の弾性によって元の状態に復元し、フック部４３が差し込み孔２７ｓに引っ掛かって差し込み部４２が差し込み孔２７ｓから簡単に抜けないようになっている。
【００３０】
上述した巻紙ホルダ１５は、巻紙１６の中空芯の部分を保持するようにしたものであるが、箱状の巻紙ホルダ１５とすることも可能であり、特に中空芯を持たない巻紙の場合に有効である。このような巻紙ホルダの他の実施形態の外観を図８に示し、その展開形状を図９に示すが、先の実施形態と同一機能の要素にはこれと同じ符合を示し、重複する説明は省略するものとする。この巻紙ホルダ４４は、同一寸法形状の４つの側壁部４５と、これら４つの側壁部４５を環状につなぐための接合部４６と、各側壁部４５と一体に形成されて底壁４７を画成するための４つのそれぞれ異なる底板部４８とを具えている。４つの底板部４８はこれらを組み合わせることによって略正方形の底壁４７を形成するが、底壁４７を形成するためにこのような底板部４８以外の任意の構成を採用することが可能であることは言うまでもない。４つの側壁部４５のうちの一つは上方に延在し、その上端に差し込み部４２と一対のフック部４３とが一体に形成されている。前述の接合部４６はこの細長い側壁部４５に形成され、その表面に図示しない剥離紙で覆われた粘着剤が予め塗布され、この巻紙ホルダ１５の組み立て時に剥離紙を剥離して接合部４６を隣接する側壁部４５の内壁に接合することによって筒状に形成するが、予めこのような筒状に接合しておくことも可能である。
【００３１】
なお、この箱状の巻紙ホルダ４４を上述した消臭シート１８の収容容器として利用することも可能である。
【図面の簡単な説明】
【００３２】
【図１】本発明による簡易便器の一実施形態の外観を表す立体投影図である。
【図２】図１に示した簡易便器を分解状態で表す立体投影図である。
【図３】図１に示した簡易便器における便器本体を構成するパネルの展開図である。
【図４】図１に示した簡易便器における便器本体の平面図である。
【図５】図１に示した簡易便器における便器本体の底面図である。
【図６】図１に示した簡易便器における便座部を構成するパネルの展開図である。
【図７】図１に示した簡易便器における紙ホルダを構成するパネルの展開図である。
【図８】紙ホルダの他の実施形態の外観を表す立体投影図である。
【図９】図８に示した紙ホルダを構成するパネルの展開図である。
【符号の説明】
【００３３】
１０  簡易便器
１１  開口部
１２  便器本体
１３  便座部
１４  汚物収容袋
１５  巻紙ホルダ
１６  巻紙
１７  汚物吸収シート
１８  消臭シート
１９  前壁部
２０  側壁部
２１  後壁部
２２  接合部
２３ｆ，２３ｒ，２３ｓ  便座受け
２４ｆ，２４ｒ，２４ｓ  底板部
２５  下板部
２６ｒ，２６ｓ  連結片
２７ｓ，２７ｒ  差し込み孔
２８  差し込みタブ
２９  差し込みスリット
３０  折り曲げ部
３１  開口部
３１ｆ  前端縁部
３２  開口部
３３  上板部
３４  折り曲げ部
３５  便座蓋
３６  ヒンジ部
３７  切欠き
３８  切り込み部
３９  係止部
４０  切欠き部
４１  保持部
４２  差し込み部
４３  フック部
４４  巻紙ホルダ
４５  側壁部
４６  接合部
４７  底壁
４８  底板部
【図１】
2007044356.tif 000003
【図２】
2007044356.tif 000004
【図３】
2007044356.tif 000005
【図４】
2007044356.tif 000006
【図５】
2007044356.tif 000007
【図６】
2007044356.tif 000008
【図７】
2007044356.tif 000009
【図８】
2007044356.tif 000010
【図９】
2007044356.tif 000011